(57)【要約】      （修正有）【課題】浴室用防水パンを軽量に維持し製造コストを上げずに、排水トラップを安定して支持することができる浴室用防水パンの排水構造を提供する。【解決手段】発泡体層１０ａと、発泡体層１０ａの上面を覆う表皮層１０ｂと、を備えた浴槽側防水パン１の排水構造８において、排水口の周縁部に形成された環状の支持鍔部１６と、支持鍔部１６の下面に沿う環状の受部２３を有する排水トラップ２０と、支持鍔部１６の上面に沿う環状のフランジ部４２を有する締付フランジ４０を備えている。排水トラップ２０と締付フランジ４０の連結状態において、受部２３とフランジ部４２が支持鍔部１６を挟持することにより、排水トラップ２０が浴槽側防水パン１に支持されている。表皮層１０ｂは、排水口において、支持鍔部１６の上面を覆う上面部１０ｘと、上面部１０ｘから垂下して支持鍔部１６の内周面を覆う筒形状の垂下部１０ｙとを有している。【選択図】図３
2019094764.tif 000002
【特許請求の範囲】
【請求項１】
発泡体層と、この発泡体層の上面を覆う表皮層と、を備えた浴室用防水パンの排水構造において、
上記浴室用防水パンの排水口の周縁部に形成された環状の支持鍔部と、上記支持鍔部の下面に沿う環状の受部を有する排水トラップと、上記支持鍔部の上面に沿う環状のフランジ部を有する締付フランジと、上記排水トラップと上記締付フランジとを連結する連結手段を備え、
上記排水トラップと上記締付フランジの連結状態において、上記受部と上記フランジ部が上記支持鍔部を挟持することにより、上記排水トラップが上記浴室用防水パンに支持されており、
上記表皮層は上記排水口において、上記支持鍔部の上面を覆う上面部と、この上面部から垂下して上記支持鍔部の内周面を覆う筒形状の垂下部を有することを特徴する浴室用防水パンの排水構造。
【請求項２】
上記排水トラップは上記排水口に入り込む第１筒部を有し、上記第１筒部の外周に上記受部が形成され、上記第１筒部の内周に上記連結手段の第１係合部が形成されており、
上記締付フランジは、上記排水トラップの上記第１筒部に入り込む第２筒部を有し、上記第２筒部の上端に上記フランジ部が径方向外側に突出して形成され、上記第２筒部の内周に上記連結手段の第２係合部が形成され、
上記締付フランジの締め付け方向の回動に伴い、上記第１係合部と上記第２係合部の係合により、上記フランジ部が上記受部に近づくようになっており、
少なくとも上記フランジ部と上記支持鍔部との間には環状のパッキンが介在されていることを特徴とする請求項１に記載の浴室用防水パンの排水構造。
【請求項３】
上記第１係合部が、周方向に等間隔をおいて配置されるとともにそれぞれ螺旋を描くガイド突起からなり、上記第２係合部が、周方向に等間隔をおいて配置され上記ガイド突起に案内される係合突起からなることを特徴とする請求項２に記載の浴室用防水パンの排水構造。
【請求項４】
上記第１係合部が雌ネジからなり、上記第２係合部が雄ネジからなることを特徴とする請求項２に記載の浴室用防水パンの排水構造。
【発明の詳細な説明】
【技術分野】
【０００１】
本発明は、浴室用防水パンの排水構造に関する。
【背景技術】
【０００２】
近年、軽量で断熱性を有する浴室用防水パンとして、発泡体層を備えた浴室用防水パンが種々開発されている。発泡体層は水密性および表面硬度に難があるため、発泡体層には表皮層を積層することも考案されている。
【０００３】
特許文献１に開示された浴槽側防水パン（浴室用防水パン）は、浴槽を載せる底部材と、この底部材の周縁の立ち上がり部に連結された側壁部材とを有している。底部材と側壁部材は、熱可塑性樹脂からなる発泡体層を備えている。底部材の発泡体層の上面全域には、熱可塑性樹脂からなる表皮層が積層されている。
【０００４】
特許文献１の浴槽側防水パンの底部材には、浴槽からの排水管を通す排水口が形成されており、底部材の下面には、排水管からの排水を受ける排水トラップが取り付けられている。しかし、特許文献１には、排水トラップを床部材の発泡体層に取り付ける構造が明示されていない。
【０００５】
ＦＲＰ製の浴室用防水パンでは、排水口の周縁部が支持鍔部として提供されており、締付フランジを用いて排水トラップを浴室用防水パンに取り付けている。詳述すると、排水トラップは排水口に入り込む第１筒部と、この第１筒部の外周に形成され上記支持鍔部の下面に沿う環状の受部を有している。締付フランジは、排水トラップの第１筒部に入り込んで第１筒部と螺合する第２筒部と、この第２筒部の上端から径方向外側に突出して上記支持鍔部の上面に沿う環状のフランジ部とを有している。
上記締付フランジを締め付け方向に回し、排水トラップの受部と締付フランジのフランジ部とで上記支持鍔部を挟持することにより、排水トラップを浴室用防水パンに取り付けている。
【先行技術文献】
【特許文献】
【０００６】
【特許文献１】特開２００７−２７８００６号公報
【発明の概要】
【発明が解決しようとする課題】
【０００７】
上述したＦＲＰ製の浴室用防水パンの排水構造によれば排水トラップを安定して支持することができるが、この排水構造を、特許文献１に開示された発泡体層を有する浴室用防水パンにそのまま適用することはできない。発泡体層の上面に表皮層が積層された支持鍔部は、上下方向の剛性が弱く、支持鍔部を排水トラップの受部と締付フランジのフランジ部とで挟んだ状態で、排水トラップを安定して支持することができないからである。
【０００８】
上記排水構造を特許文献１の浴室用防水パンに適用するためには、発泡体層の発泡倍率を低下させて支持鍔部の剛性を高める必要があるが、そうすると重量の増大およびコスト高を招く。また、浴室用防水パンの排水口に支持鍔部の役割を担う射出成形品を後付けで固定することも考えられるが、コスト高を招く。
【課題を解決するための手段】
【０００９】
本発明は上記課題を解決するためになされたものであり、発泡体層と、この発泡体層の上面を覆う表皮層と、を備えた浴室用防水パンの排水構造において、
上記浴室用防水パンの排水口の周縁部に形成された環状の支持鍔部と、上記支持鍔部の下面に沿う環状の受部を有する排水トラップと、上記支持鍔部の上面に沿う環状のフランジ部を有する締付フランジと、上記排水トラップと上記締付フランジとを連結する連結手段を備え、
上記排水トラップと上記締付フランジの連結状態において、上記受部と上記フランジ部が上記支持鍔部を挟持することにより、上記排水トラップが上記浴室用防水パンに支持されており、
上記表皮層は上記排水口において、上記支持鍔部の上面を覆う上面部と、この上面部から垂下して上記支持鍔部の内周面を覆う筒形状の垂下部を有することを特徴する。
【００１０】
上記構成によれば、排水口において表皮層の垂下部により支持鍔部の剛性、特に上下方向の剛性を高めることができるので、発泡倍率を下げたり別個に射出成形品を用いたりすることなく、低コストで排水トラップを安定して支持することができる。
【００１１】
好ましくは、上記排水トラップは上記排水口に入り込む第１筒部を有し、上記第１筒部の外周に上記受部が形成され、上記第１筒部の内周に上記連結手段の第１係合部が形成されており、上記締付フランジは、上記排水トラップの上記第１筒部に入り込む第２筒部を有し、上記第２筒部の上端に上記フランジ部が径方向外側に突出して形成され、上記第２筒部の内周に上記連結手段の第２係合部が形成され、上記締付フランジの締め付け方向の回動に伴い、上記第１係合部と上記第２係合部の係合により、上記フランジ部が上記受部に近づくようになっており、少なくとも上記フランジ部と上記支持鍔部との間には環状のパッキンが介在されている。
【００１２】
連結手段の一態様では、上記第１係合部が、周方向に等間隔をおいて配置されるとともにそれぞれ螺旋を描くガイド突起からなり、上記第２係合部が、周方向に等間隔をおいて配置され上記ガイド突起に案内される係合突起からなる。
連結手段の他の態様では、上記第１係合部が雌ネジからなり、上記第２係合部が雄ネジからなる。
【発明の効果】
【００１３】
本発明によれば、発泡体層の発泡倍率を低下させず、別個に射出成形品を必要とせずに、排水口の支持鍔部の剛性を高めることができ、これにより、浴室用防水パンを軽量に維持し製造コストを上げずに、排水トラップを安定して支持することができる。
【図面の簡単な説明】
【００１４】
【図１】本発明の一実施形態に係る浴槽側防水パンの平面図である。
【図２】図１におけるII−II矢視断面図である。
【図３】上記浴槽側防水パンの排水構造を示す拡大断面図である。
【図４】上記排水構造において締付フランジを排水トラップに係合する直前の状態を示す図３相当図である。
【発明を実施するための形態】
【００１５】
以下、本発明の一実施形態について、図面を参照しながら説明する。
浴室ユニットが納められる建物内の空間の床スラブもしくは浴室ユニット用基礎には、図１、図２に示すように、浴槽側防水パン１（浴室用防水パン）と洗い場側防水パン２（浴室用防水パン）が隣接して設置されている。浴槽側防水パン１には浴槽３が設置されている。本実施形態では、浴槽側防水パン１に本発明が適用されている。
【００１６】
浴槽側防水パン１は、架台４に載せられて支持されている。架台４は、浴槽側防水パン１の長方形の長辺と平行なフレーム４ａと、このフレーム４ａに一端が連結されるとともに長方形の短辺と平行な２本のフレーム４ｂを有している。フレーム４ａの両端部および中央部と、フレーム４ｂの中央部には、床スラブに載る支持脚４ｃが固定されている。
【００１７】
浴槽側防水パン１は平面長方形をなし、底部１１とその周縁部に全周にわたって形成された立ち上がり部１２ａ，１２ｂとを有している。
底部１１には、浴槽３の脚部を載せるための低い凸部１１ａが形成されている。底部１１には洗い場側防水パン２寄りに排水口１５が形成されている。排水口１５の周縁部は他の部位より薄肉をなし、後述する環状の支持鍔部１６として提供されている。
【００１８】
浴槽側防水パン１において、長方形の一方の長辺に対応する立ち上がり部１２ａは、洗い場側防水パン２に接続され、他方の長辺および２つの短辺に対応する立ち上がり部１２ｂは、浴室を画成する壁パネル５を支持するようになっている。
【００１９】
図３に示すように、浴槽側防水パン１は、熱可塑性樹脂製の発泡体層１０ａとこの発泡体層１０ａの上面に積層された熱可塑性樹脂製の表皮層１０ｂにより構成されている。本実施形態では、最初にポリスチレン（ＰＳ）、ＨＩＰＳ、ＡＢＳ等のスチレン系樹脂シートを真空成形することにより、上述した浴槽側防水パン１の上面形状に対応した表皮層１０ｂを得る。なお、表皮層１０ｂの厚さは、例えば１〜４ｍｍ、好ましくは１〜３ｍｍ、より好ましくは１〜２ｍｍである。
その後で、発泡金型内に表皮層１０ｂをセットし、ビーズ発泡成形により発泡ポリスチレン（ＥＰＳ）製の発泡体層１０ａを得る。この発泡成形の過程で、発泡体層１０ａと表皮層１０ｂが熱溶着されるので、両者を貼り合わせる工程を省くことができる。なお、これら発泡体層１０ａと表皮層１０ｂを接着剤により貼り合わせてもよい。
【００２０】
表皮層１０ｂは底部１１の上面、立ち上がり部１２ａ、１２ｂの内側面および上面を覆っている。
図３、図４に示すように、表皮層１０ｂは排水口１５において、支持鍔部１６の上面を覆うとともに、支持鍔部１６の内周を覆っている。以下、表皮層１０ｂにおいて、支持鍔部１６の上面を覆う部位を上面部１０ｘと称し、支持鍔部１６の内周を覆う部位を垂下部１０ｙと称す。垂下部１０ｙは円筒形状をなし上面部１０ｘと略直角をなして連なっている。この表皮層１０ｂの垂下部１０ｙにより、支持鍔部１６は発泡体層１０ａと表皮層１０ｂの上面部１０ｘで構成する場合に比べて剛性、特に上下方向の剛性を格段に高めることができる。
【００２１】
図３、図４に示すように、浴槽側防水パン１の排水構造８は、上述した浴槽側防水パン１の支持鍔部１６と、それぞれ樹脂の射出成形品からなる浴槽側排水トラップ２０、共通排水トラップ３０、締付フランジ４０とを備えている。
【００２２】
排水トラップ２０は、排水口１５に入り込む筒部２１（第１筒部）と、筒部２１の下端に連なる底部２２と、筒部２１の中間高さの外周に形成された環状の受部２３と、この受部２３から洗い場側に延びた延出部２４とを有している。受部２３は支持鍔部１６の下面に沿う。
【００２３】
上記受部２３の上面には環状の低い隆起部２５が形成されており、この隆起部２５と筒部２１との間に形成された浅い溝には、シール材（図示しない）が充填されるようになっている。
【００２４】
排水トラップ２０の底部２２には、中央に主排水口２２ａが形成され、その横にスリット形状の複数の副排水口２２ｂが形成されている。排水口２２ａには、浴槽３の底部に接続された排水管（図示しない）の先端が挿入される。
【００２５】
上記排水トラップ２０と、洗い場側防水パン２の排水構造の排水トラップ２ａ（一部のみ示す）の下側には、共通排水トラップ３０が取り付けられている。
共通排水トラップ３０は、排水管を経て主排水口２２ａから排出された浴槽３の湯水を受け止め、浴槽側防水パン１の底部１１から排水口２２ｂを経て排出された湯水を受け止め、洗い場側防水パン２の排水トラップ２ａを経て排出された洗い場側の湯水を受け止める。この共通排水トラップ３０で受け止められた排水は１つの出口部から他の排水管へと排出される。
【００２６】
締付フランジ４０は、上記排水トラップ２０の筒部２１の内側に入り込む筒部４１（第２筒部）と、この筒部４１の上端から径方向外側に突出する環状のフランジ部４２とを有している。筒部４１の外周にはフランジ部４２に隣接してＯリング５１を支持する支持溝４１ａが形成されている。また、フランジ部４２の外周縁には環状のパッキン５２を支持する支持溝４２ａが形成されている。
【００２７】
排水トラップ２０と締付フランジ４０は、バヨネット式ロック構造Ｒ（連結手段）により互いに連結されるようになっている。すなわち、排水トラップ２０の筒部２１の内周には、螺旋を描き底部近傍まで延びる複数（４つ）のガイド突起２９（第１係合部）が等間隔をなして形成されている。他方、締付フランジ４０の筒部４１の下端外周には等間隔をおいて複数（本実施形態では４つ）の係合突起４９（第２係合部）が形成されている。
【００２８】
図４に示すように締付フランジ４０を下降させ、その筒部４１を排水トラップ２０の筒部２１に挿入した状態で、締め付け方向に回すことにより、係合突起４９がガイド突起２９に案内され、締付フランジ４０が下方に移動する。やがて、パッキン５２が浴槽側防水パン１の支持鍔部１６の上面に当たり、排水トラップ２０の環状の受部２３が支持鍔部１６の下面に当たる。
【００２９】
さらに締付フランジ４０を回し、その回動角度が略９０°に達すると、係合突起４９がガイド突起２９の下端に達し、排水トラップ２０と締付フランジ４０の連結が完了する。この連結状態では、パッキン５２が弾性変形して支持鍔部１６の上面を押圧しており、排水トラップ２０の受部２３と締付フランジ４０のフランジ部４２が、浴槽側防水パン１の支持鍔部１６を、パッキン５２の弾性力で挟持する。このようにして、排水トラップ２０が浴槽側防水パン１に取り付けられる。
【００３０】
支持鍔部１６は表皮層１０ｂの垂下部１０ｙにより補強されており、剛性、特に上下方向の剛性を高められているので、受部２３と上記フランジ部４２の挟持により、排水トラップ２０を安定して支持することができる。
【００３１】
本発明は、上記実施形態に限定されるものではなく、種々の形態を採用することが可能である。
連結手段は、排水トラップ２０の筒部２１の内周に形成された雌ネジと、締付フランジの筒部４１の外周に形成された雄ネジにより構成してもよい。この構造は、図３、図４において、ガイド突起２９を雌ネジに置換し、係合突起を雄ネジに置換することにより、容易に想到し得るので、図示を省略する。排水口１５、排水トラップ２０および締め付けフランジ４０は円形状以外であってもよい。表皮層１０ｂは排水口１５の縁の裏面にも設けられてよい。
図示のパッキン５２の代わりに断面コ字形をなす環状のパッキンを用いてもよい。このパッキンは支持鍔部１６の上面と下面と内周面を覆うようにして配置される。
上記実施形態では浴槽側防水パンに本発明を適用したが、洗い場側防水パンに本発明を適用してもよい。
本願における浴室は、シャワーのみが可能な浴室（シャワー室）をも含む。
【産業上の利用可能性】
【００３２】
本発明は、浴室用防水パンの排水構造に適用可能である。
【符号の説明】
【００３３】
１  浴槽側防水パン（浴室用防水パン）
８  排水構造
１０ａ  発泡体層
１０ｂ  表皮層
１０ｘ  上面部
１０ｙ  垂下部
１５  排水口
１６  支持鍔部
２０  排水トラップ
２１  筒部（第１筒部）
２３  受部
２９  ガイド突起（第１係合部）
４０  締付フランジ
４１  筒部（第２筒部）
４２  フランジ部
４９  係合突起（第２係合部）
５２  パッキン
Ｒ    バヨネット式ロック構造（連結手段）
【図１】
2019094764.tif 000003
【図２】
2019094764.tif 000004
【図３】
2019094764.tif 000005
【図４】
2019094764.tif 000006